(57)【要約】【課題】外部からローカルストレージに蓄積された文書データにかかる文書プリントするときに文書情報を併せて印字する。【解決手段】モデムＮＣＵ部１１１と、伸長データ展開メモリ１０５と、プロッタ１０２と、受信した文書データにかかる文書を受信の際にプリントせずに、所定のローカルストレージ１０８に転送するとともに、文書データを前記ページメモリに転送するシステム制御部１０１と、操作部１１０，表示部１１１と、ＲＡＭ１０１３（文書情報保持部）とを備え、ローカルストレージ１０８に蓄積された文書データをプロッタ１０２によりプリントするに際して、当該文書データに関連付けられた文書情報を文書情報保持部から取得し、プリントするページが文書の先頭ページであるときは、システム制御部１０１により当該ページにしおりマークを挿入したプリントを指示する。【選択図】　　　　図１
2004112330.tif 000002
【特許請求の範囲】
【請求項１】
公衆回線に接続しファクシミリ通信を行うファクシミリ通信制御部と、
文書データをページ単位で蓄積するページメモリと、
前記文書データメモリに記憶された文書データをプリントするプロッタと、
前記ファクシミリ通信制御部により受信した文書データにかかる文書を受信の際にプリントせずに、所定のローカルストレージに転送するとともに、当該ローカルストレージに蓄積された文書データを前記ページメモリに転送する転送制御部と、
前記ローカルストレージに蓄積された文書データの操作を行うユーザインタフェースと、
前記ローカルストレージに蓄積された文書データに対応する文書情報を蓄積した文書情報保持部と、
を備えた画像通信装置において、
前記ローカルストレージに蓄積された文書データを前記プロッタによりプリントするに際して、当該文書データに関連付けられた文書情報を前記文書情報保持部から取得し、プリントするページが文書の先頭ページであるときは、当該ページにしおりマークを挿入したプリントを指示するプロッタ制御部を備えたことを特徴とする画像通信装置。
【請求項２】
前記プロッタ制御部は、前記プロッタ部に前記ローカルストレージに蓄積された文書データにかかる文書のプリントを指示する場合において、印字すべきキャラクタ情報があるときは、ページごとに所定のキャラクタ情報を前記文書情報保持部に蓄積した文書情報中から取得し、前記プロッタ部に当該キャラクタ情報の所定部位への印字を指示する、
ことを特徴とする請求項１に記載の画像通信装置。
【請求項３】
前記プロッタ制御部は、前記プロッタ部に前記ローカルストレージに蓄積された文書データにかかる文書のプリントを指示する場合において、印字すべき受信文書時刻情報があるときは、ページごとに所定の受信文書時刻情報を前記文書情報保持部に蓄積した文書情報中から取得し、前記プロッタ部に当該受信文書時刻情報情報の所定部位への印字を指示する、
ことを特徴とする請求項１または２に記載の画像通信装置。
【発明の詳細な説明】
【０００１】
【発明の属する技術分野】
本発明は、受信した文書データをローカルストレージ等の記憶媒体に蓄積することが可能な画像通信装置に関し、特にリモートコンピュータからローカルストレージに蓄積された文書データにかかる文書をプリントするときに文書情報を併せて印字することができる画像通信装置に関する。
【０００２】
【従来の技術】
近年、ネットワークに接続されたＦＡＸにおいて、受信した文書データにかかる文書をプリントせずにネットワーク上の他のサーバ（ＰＣ等）に受信した文書データを配信するといったことが行われるようになっている。これは主にＦＡＸ受信物のペーパーレス化を目的としている。また、サーバを持たない場合でもペーパーレスを実現するために、ＦＡＸ（ＭＦＰ）のローカルストレージ（ＬＳ）等に受信した文書データを蓄積し、ＰＣ上等のユーティリティから文書の閲覧、転送、プリント、消去等が可能なシステムも知られている。
【０００３】
このようにローカルストレージ等に蓄積してその文書データを再利用する場合において、蓄積した文書データにかかる文書をＰＣから指示してプリントしても、通常の場合、しおりマーク、ＣＩＬ、ＴＳＩ等の受信キャラクタ情報、受信時刻等は付加されずにプリントされてしまう。これは、このような受信側のプリント時に付加する情報は受信した文書データをローカルストレージに蓄積する際には付加しないためである。
【０００４】
付加しない理由は、ローカルストレージに蓄積した文書データを再送信、転送等で再利用する際には必要の無い（付加してはいけない）情報のためである。そのため、このような文書データにかかる文書をそのままプリントしても通常の受信プリントでは付加される、しおりマーク、ＣＩＬ、ＴＳＩ等の受信キャラクタ情報、受信時刻等の情報は付加されなくなってしまう。
【０００５】
【発明が解決しようとする課題】
このため、ローカルストレージから複数文書にかかる文書データを呼び出してプリントをする際に、文書と文書との切れ目が不明確になる（すなわち、文書の先頭ページを特定できなくなる）といった問題がある。
【０００６】
また、ローカルストレージから文書データを呼び出して当該文書データにかかる文書をプリントをする際に、通常、受信した文書のページごとに付加される文書情報（受信時刻、通信相手情報等）は印字されない。
本発明は、ファクシミリ受信後にローカルストレージに蓄積した文書データにかかる文書をプリントする際に、複数の文書のプリントをした際にも、文書の切れ目を明確にすることができる画像通信装置を提供することにある。
【０００７】
本発明の他の目的は、ファクシミリ受信後にローカルストレージに蓄積した文書データにかかる文書をプリントする際に、受信時にＣＩＬ，ＴＳＩ等の受信側キャラクタ情報が存在する場合は、それらを付加してプリントすることで受信した文書の文書情報を明らかにすることができる画像通信装置を提供することにある。
【０００８】
本発明のさらに他の目的は、ファクシミリ受信後にローカルストレージに蓄積した文書データにかかる文書をプリントする際に、受信時に受信刻印字がＯＮの場合に、受信時刻印字をすることができる画像通信装置を提供することにある。
【０００９】
【課題を解決するための手段】
本発明の画像通信装置は、公衆回線に接続しファクシミリ通信を行うファクシミリ通信制御部と、文書データをページ単位で蓄積するページメモリと、前記文書データメモリに記憶された文書データをプリントするプロッタと、前記ファクシミリ通信制御部により受信した文書データにかかる文書を受信の際にプリントせずに、所定のローカルストレージ（ハードディスク，他のコンピュータのハードディスク等）に転送するとともに、当該ローカルストレージに蓄積された文書データを前記ページメモリに転送する転送制御部と、前記ローカルストレージに蓄積された文書データの操作を行うユーザインタフェースと、前記ローカルストレージに蓄積された文書データに対応する文書情報を蓄積した文書情報保持部とを備えたもので、前記ローカルストレージに蓄積された文書データを前記プロッタによりプリントするに際して、当該文書データに関連付けられた文書情報を前記文書情報保持部から取得し、プリントするページが文書の先頭ページであるときは、当該ページにしおりマークを挿入したプリントを指示するプロッタ制御部を備えたことを特徴とする。
【００１０】
本発明により、受信した文書データを、一旦ローカルストレージのような記憶媒体にデータを転送したために、ファクシミリ装置のメモリ（ＳＡＦ）から文書情報がなくなるような場合でも、ローカルストレージに蓄積した文書データと関連付けて、文書情報を保持しておくことで、文書のプリントの際に文書の先頭ページを認識し、しおりマークを付加することができる。その結果、複数文書のプリントをする際にも、文書の切れ目が明確となり、受信した文書を即時プリントする場合と同等なプリント出力結果を得ることができる。
【００１１】
また、本発明の画像通信装置では、前記プロッタ制御部は、前記プロッタ部に前記ローカルストレージに蓄積された文書データにかかる文書のプリントを指示する場合において、ＣＩＬ，ＴＳＩ等の印字すべきキャラクタ情報があるときは、ページごとに所定のキャラクタ情報を前記文書情報保持部に蓄積した文書情報中から取得し、前記プロッタ部に当該キャラクタ情報の所定部位への印字を指示することができる。これにより、文書をプリントする際に、文書情報のうち、ＣＩＬ、ＴＳＩと言った受信側で付加するキャラクタ情報を当該文書情報から取得してこれを文書に付加して印字することが可能となる。
【００１２】
さらに本発明の画像通信装置では、前記プロッタ制御部は、前記プロッタ部に前記ローカルストレージに蓄積された文書データにかかる文書のプリントを指示する場合において、印字すべき受信文書時刻情報があるときは、ページごとに所定の受信文書時刻情報を前記文書情報保持部に蓄積した文書情報中から取得し、前記プロッタ部に当該受信文書時刻情報情報の所定部位への印字を指示することを特徴とする。これにより、受信時刻印字機能がＯＮの場合は文書情報から受信時刻情報を取得し、これを文書に付加して印字することが可能となる。
【００１３】
【発明の実施の形態】
図１は本発明の画像通信装置の一実施形態を示す図である。図１において、画像通信装置１は、システム制御部（転送制御部，プロッタ制御部としての機能を持つ）１０１と、プロッタ１０２と、スキャナ１０３と、圧縮データ格納メモリ１０４と、伸長データ展開メモリ（ページメモリ）１０５と、画データ圧縮部１０６と、画データ伸長部１０７と、ローカルストレージ１０８と、操作部１０９と、表示部１１０と、モデムＮＣＵ部（ファクシミリ通信制御部）１１１とを含んでいる。
【００１４】
システム制御部１０１は、ＣＰＵ１０１１と、ＲＯＭ１０１２と、ＲＡＭ１０１３を含んで構成されている。ＣＰＵ１０１１はファクシミリ装置１の全体の制御を行う。ＲＯＭ１０１２にはシステムプログラム、プロッタドライバドライバ、スキャナドライバ等が格納されている。ＲＡＭ１０１３はバッテリーバックアップされた不揮発メモリであり、ＲＡＭ１０１３には、文書情報（受信文書のキャラクタ情報、受信時刻等）が記憶される。
【００１５】
プロッタ１０２は、本実施形態ではファクシミリ受信した文書データにかかる文書の即時プリントは行わない。ファクシミリ装置１には、本発明による動作をするか否かの選択機能を付加することができ、本発明による動作をしないときは、受信した文書データにかかる文書の即時プリントをすることができる。スキャナ１０３は、原稿画像を読み取り、読み取った画像データ（文書データ）を受信した文書データと同様にローカルストレージ１０８に送信することができる。
【００１６】
圧縮データ格納メモリ１０４は、画データ圧縮部１０６により所定の方式で圧縮された受信した文書データ（あるいはスキャナ１０３で読み取った文書データ）を格納する。伸長データ展開メモリ（ページメモリ）１０５は、画データ伸長部１０７により伸長した文書データを格納する。
【００１７】
ローカルストレージ１０８には、本発明の動作が設定されているときに受信した文書データが格納される。この文書データは、システム制御部１０１のＲＡＭ１０１３に記憶されている文書情報（通信先からの情報、ファクシミリ装置１にユーザ設定されている相手先の名称等の情報、受信時刻情報等）と関連付けされている。
【００１８】
操作部１０９および表示部１１０は、本発明のユーザインタフェースである。操作部１０９により、本発明による動作をするか否かの設定を行うことができる。
モデムＮＣＵ部１１１は、公衆回線を介して他のファクシミリ装置とファクシミリ通信を行うことができる。
【００１９】
図２に、ＲＡＭ１０１３と、モデムＮＣＵ部１１１と、伸長データ展開メモリ１０５と、ローカルストレージ１０８との関係を示す。モデムＮＣＵ部１１１が、ファクシミリ受信すると、伸長データ展開メモリ１０５をローカルストレージ１０８に転送し、ＲＡＭ１０１３に文書情報を記憶する。プリントに際しては、伸長データ展開メモリ１０５にローカルストレージ１０８から文書データを読み出し、これに文書情報を書き込む。
【００２０】
以下図３〜図６により、図１に示したファクシミリ装置１の動作を説明する。図３は、ファクシミリ装置１のファクシミリ受信時の動作を示すフローチャートである。モデムＮＣＵ部１１１から受信したファクシミリデータは、文書データとして、そのまま圧縮データ格納メモリ（ＳＡＦ）１０４に一時格納され、ローカルストレージ１０８への転送処理が開始される（Ｓ１０１）。なお、受信した文書データは、画データ伸長部１０７により一旦伸長してこれを伸長データ展開メモリ１０５に格納し、さらにこれを画データ圧縮部１０６により所定の方式で圧縮して圧縮データ格納メモリ１０４に記憶することもできる。ファクシミリ受信が終了した後（Ｓ１０２）に、圧縮データ格納メモリ１０４に記憶した文書データをローカルストレージ１０８に転送する（Ｓ１０３）。このとき、ＲＡＭ１０１３に着信時刻等の文書情報が受信ごとに記憶される。この文書情報は、ローカルストレージ１０８に記憶される文書データの文書ＩＤに対応付けされて（Ｓ１０４）、ＲＡＭ１０１３に保持される（Ｓ１０５）。
この後、圧縮データ格納メモリ１０４から、ローカルストレージ１０８への転送が行われる（Ｓ１０６）。
【００２１】
図４により、しおりマークをページメモリに書き込む実施形態を説明する。
ローカルストレージ１０８に蓄積された文書データにかかる文書のプリント処理が開始されると（Ｓ２０１）、まず当該文書データ（圧縮画データ）を伸長データ展開メモリ（ページメモリ）１０５に展開する（Ｓ２０２）。
この後、文書ＩＤに対応するＲＡＭ１０１３に格納されている文書情報を取得する（Ｓ２０３）。
【００２２】
次に、処理ページが文書の先頭ページか否かを文書情報を参照して判断し（Ｓ２０４）、文書の先頭ページであるときは（Ｓ２０４の「ＹＥＳ」）、しおりマークを伸長データ展開メモリ１０５に書き込み（Ｓ２０５）、伸長データ展開メモリ１０５のデータをプロッタ１０２に転送し（Ｓ２０６）、文書の先頭ページではないときは（Ｓ２０４の「ＮＯ」）、伸長データ展開メモリ１０５のデータをそのままプロッタ１０２に転送する。
この後、処理ページが文書の終了であるか否かを判断し（Ｓ２０７）、文書の終了であるときは（Ｓ２０７の「ＹＥＳ」）文書のプリント処理を終了し（Ｓ２０８）、続きのページがあるときは（Ｓ２０７の「ＮＯ」）、ステップＳ２０２に処理を戻す。
【００２３】
図５により、受信キャラクタ情報を伸長データ展開メモリ１０５に書き込む実施形態を説明する。
ローカルストレージ１０８に蓄積された文書データにかかる文書のプリント処理が開始されると（Ｓ３０１）、まず当該文書データ（圧縮画データ）を伸長データ展開メモリ１０５に展開する（Ｓ３０２）。
この後、文書ＩＤに対応するＲＡＭ１０１３に格納されている文書情報を取得する（Ｓ３０３）。
【００２４】
次に、処理ページに受信キャラクタ情報を付加するか否かを文書情報を参照して判断し（Ｓ３０４）、付加するときは（Ｓ３０４の「ＹＥＳ」）受信キャラクタ情報を受信文書情報から取得し（Ｓ３０５）、キャラクタ情報を伸長データ展開メモリ１０５に書き込み（Ｓ３０６）、伸長データ展開メモリ１０５のデータをプロッタ１０２に転送し（Ｓ３０７）。Ｓ３０４において、処理ページに受信キャラクタ情報を付加しないときは（Ｓ３０４の「ＮＯ」）、伸長データ展開メモリ１０５のデータをそのままプロッタ１０２に転送する（Ｓ３０７）。
【００２５】
この後、処理ページが文書の終了であるか否かを判断し（Ｓ３０８）、文書の終了であるときは（Ｓ３０８の「ＹＥＳ」）文書のプリント処理を終了し（Ｓ３０９）、続きのページがあるときは（Ｓ３０８の「ＮＯ」）、ステップＳ３０２に処理を戻す。
【００２６】
図６により、受信時刻情報を伸長データ展開メモリ１０５に書き込む実施形態を説明する。
ローカルストレージ１０８に蓄積された文書データにかかる文書のプリント処理が開始されると（Ｓ４０１）、まず当該文書データ（圧縮画データ）を伸長データ展開メモリ１０５に展開する（Ｓ４０２）。
この後、文書ＩＤに対応するＲＡＭ１０１３に格納されている文書情報を取得する（Ｓ４０３）。
【００２７】
次に、処理ページに受信時刻情報を付加するか否か（受信時刻印字がＯＮか否か）を文書情報を参照して判断し（Ｓ４０４）、付加するときは（Ｓ４０４の「ＹＥＳ」）受信時刻情報を文書情報から取得し（Ｓ４０５）、受信時刻情報を伸長データ展開メモリ１０５に書き込み（Ｓ４０６）、伸長データ展開メモリ１０５のデータをプロッタ１０２に転送し（Ｓ４０７）。Ｓ４０４において、処理ページに受信時刻情報を付加しないときは（Ｓ４０４の「ＮＯ」）、伸長データ展開メモリ１０５のデータをそのままプロッタ１０２に転送する（Ｓ４０７）。
この後、処理ページが文書の終了であるか否かを判断し（Ｓ４０８）、文書の終了であるときは（Ｓ４０８の「ＹＥＳ」）文書のプリント処理を終了し（Ｓ４０９）、続きのページがあるときは（Ｓ４０８の「ＮＯ」）、ステップＳ４０２に処理を戻す。
【００２８】
【発明の効果】
本発明によれば、受信した文書データを、一旦ローカルストレージのような記憶媒体にデータを転送したために、ファクシミリ装置のメモリ（ＳＡＦ）から文書情報がなくなるような場合でも、ローカルストレージに蓄積した文書データと関連付けて、文書情報を保持しておくことで、文書のプリントの際に文書の先頭ページを認識し、しおりマークを付加することができる。その結果、複数文書のプリントをする際にも、文書の切れ目が明確となり、受信した文書を即時プリントする場合と同等なプリント出力結果を得ることができる。
【００２９】
また、文書をプリントする際に、文書情報のうち、ＣＩＬ、ＴＳＩと言った受信側で付加するキャラクタ情報を当該文書情報から取得してこれを文書に付加して印字することが可能となる。
【００３０】
さらに、受信時刻印字機能がＯＮの場合は文書情報から受信時刻情報を取得し、これを文書に付加して印字することが可能となる。
【図面の簡単な説明】
【図１】本発明の画像通信装置（ファクシミリ装置）の一実施形態を示す図である。
【図２】システム制御部のＲＡＭと、モデムＮＣＵ部と、伸長データ展開メモリと、ローカルストレージとの関係を示す図である。
【図３】図１のファクシミリ装置のファクシミリ受信時の動作を示すフローチャートである。
【図４】図１のファクシミリ装置において、しおりマークをページメモリに書き込む実施形態のフローチャートである。
【図５】図１のファクシミリ装置において、受信キャラクタ情報を伸長データ展開メモリに書き込む実施形態のフローチャートである。
【図６】図１のファクシミリ装置において、受信時刻情報を伸長データ展開メモリに書き込む実施形態のフローチャートである。
【符号の説明】
１　画像通信装置
１０１　システム制御部
１０２　プロッタ
１０３　スキャナ
１０４　圧縮データ格納メモリ
１０５　伸長データ展開メモリ
１０６　画データ圧縮部
１０７　画データ伸長部
１０８　ローカルストレージ
１０９　操作部
１１０　表示部
１１１　モデムＮＣＵ部
１０１１　ＣＰＵ
１０１２　ＲＯＭ
１０１３　ＲＡＭ
【図１】
2004112330.tif 000003
【図２】
2004112330.tif 000004
【図３】
2004112330.tif 000005
【図４】
2004112330.tif 000006
【図５】
2004112330.tif 000007
【図６】
2004112330.tif 000008